(57)【要約】【課題】部品点数が少ないダブルスキンカーテンウォールを提供する。【解決手段】本発明にかかるダブルスキンカーテンウォール１は、アウタースキン３と、インナースキン５と、支持材７とを備え、支持材７は、躯体（建物の構造体）１１ａに取り付けられるものであり、柱部１３と、柱部１３から外側に向けて突出する腕部１５を有し、アウタースキン３は腕部１５の先端に取り付けてあり、インナースキン５は柱部１３に取り付けてある。【選択図】図１
2018178652.tif 000002
【特許請求の範囲】
【請求項１】
アウタースキンと、インナースキンと、支持材とを備え、
支持材は、建物の構造体に取り付けられるものであり、柱部と、柱部から外側に向けて突出する腕部を有し、
アウタースキンは腕部の先端に取り付けてあり、
インナースキンは柱部に取り付けてあることを特徴とするダブルスキンカーテンウォール。
【請求項２】
アウタースキンと、インナースキンと、支持材とを備え、
支持材は、建物の構造体に取り付けられるものであり、柱部と、柱部から内側に向けて突出する腕部を有し、
アウタースキンは柱部に取り付けてあり、
インナースキンは腕部の先端に取り付けてあることを特徴とするダブルスキンカーテンウォール。
【発明の詳細な説明】
【技術分野】
【０００１】
本発明は、ダブルスキンカーテンウォールに関する。
【背景技術】
【０００２】
図１６及び図１７に示すように、従来のダブルスキンカーテンウォール９０では、アウタースキン９１を支持する支持材９３と、インナースキン９５を支持する支持材９７が別々に設けてあり、各支持材９３、９７は建物の構造体に固定されていた。
【発明の概要】
【発明が解決しようとする課題】
【０００３】
しかし、従来のダブルスキンカーテンウォールは、アウタースキンとインナースキンそれぞれに支持部を設けているので、部品点数が多くなると共にコストの増加を招いていた。  
このため、部品点数が少ないものが求められていた。  
【０００４】
そこで、本発明は、部品点数が少ないダブルスキンカーテンウォールの提供を目的とする。
【課題を解決するための手段】
【０００５】
請求項１に記載の発明は、アウタースキンと、インナースキンと、支持材とを備え、支持材は、建物の構造体に取り付けられるものであり、柱部と、柱部から外側に向けて突出する腕部を有し、アウタースキンは腕部の先端に取り付けてあり、インナースキンは柱部に取り付けてあることを特徴とするダブルスキンカーテンウォールである。  
【０００６】
請求項２に記載の発明は、アウタースキンと、インナースキンと、支持材とを備え、支持材は、建物の構造体に取り付けられるものであり、柱部と、柱部から内側に向けて突出する腕部を有し、アウタースキンは柱部に取り付けてあり、インナースキンは腕部の先端に取り付けてあることを特徴とするダブルスキンカーテンウォールである。  
【発明の効果】
【０００７】
請求項１に記載の発明によれば、支持材の柱部にインナースキンを固定し、支持材の腕部にアウタースキンを取り付ける構成であるから、インナースキンとアウタースキンそれぞれに支持材を設ける場合に比べて、少ない部品点数でインナースキンとアウタースキンとを支持できる。  
【０００８】
請求項２に記載の発明によれば、支持材の柱部にアウタースキンを固定し、支持材の腕部にインナースキンを取り付ける構成であるから、少ない部品点数でインナースキンとアウタースキンとを支持できる。  
【図面の簡単な説明】
【０００９】
【図１】本発明の第１実施の形態にかかるダブルスキンカーテンウォールの図であり、（ａ）は図６（ｂ）に示すＡ部の拡大図、（ｂ）は図６（ｃ）に示すＢ部の拡大図である。
【図２】本発明の第１実施の形態にかかるダブルスキンカーテンウォールの図であり、（ａ）は図１（ｂ）に示すＣ−Ｃ断面図、（ｂ）は図１（ｂ）に示すＤ−Ｄ断面図である。
【図３】本発明の第１実施の形態にかかるダブルスキンカーテンウォールのインナースキンの図であって、（ａ）は図５に示すＦ−Ｆ断面図であり、（ｂ）は図５に示すＧ−Ｇ断面図である。
【図４】本発明の第１実施の形態にかかるダブルスキンカーテンウォールであって、（ａ）は図６（ｂ）に示すＪ部の拡大図であり、（ｂ）は図６（ｂ）に示すＫ部の拡大図である。
【図５】本発明の第１実施の形態にかかるダブルスキンカーテンウォールのインナースキンの正面図である。
【図６】本発明の第１実施の形態にかかるダブルスキンカーテンウォールであって、（ａ）はアウタースキンの正面図、（ｂ）は（ａ）に示すＬ−Ｌ断面図、（ｃ）は（ａ）に示すＭ−Ｍ断面図、（ｄ）は側面図である。
【図７】本発明の第２実施の形態にかかるダブルスキンカーテンウォールであって、図１５（ｂ）に示すＮ部の拡大図である。
【図８】本発明の第２実施の形態にかかるダブルスキンカーテンウォールであって、図７に示すＰ部の拡大図である。
【図９】本発明の第２実施の形態にかかるダブルスキンカーテンウォールのアウタースキンの図であって、図１５（ｃ）に示すＲ部の拡大図である。
【図１０】本発明の第２実施の形態にかかるダブルスキンカーテンウォールのインナースキンの図であって、図１５（ｃ）に示すＳ部の拡大図である。
【図１１】本発明の第２実施の形態にかかるダブルスキンカーテンウォールであって、図１５（ｂ）に示すＴ部の拡大図である。
【図１２】本発明の第２実施の形態にかかるダブルスキンカーテンウォールのインナースキンの図であって、図１４に示すＶ−Ｖ断面図である。
【図１３】本発明の第２実施の形態にかかるダブルスキンカーテンウォールのインナースキンの図であって、図１４に示すＷ−Ｗ断面図である。
【図１４】本発明の第２実施の形態にかかるダブルスキンカーテンウォールのインナースキンの正面図である。
【図１５】本発明の第２実施の形態にかかるダブルスキンカーテンウォールであって、（ａ）はアウタースキンの正面図、（ｂ）は（ａ）に示すＸ−Ｘ断面図、（ｃ）は（ａ）に示すＹ−Ｙ断面図である。
【図１６】従来のダブルスキンカーテンウォールの縦断面図である。
【図１７】従来のダブルスキンカーテンウォールの横断面図である。
【発明を実施するための形態】
【００１０】
以下に、添付図面を参照して本発明の実施の形態を説明するが、まず、図１〜図６を参照して、本発明の第１実施の形態について説明する。  
図６に示すように、本発明の実施の形態にかかるダブルスキンカーテンウォール１は、アウタースキン３と、インナースキン５と、支持材７とを備えている。  
アウタースキン３とインナースキン５とはそれぞれカーテンウォールであり、アウタースキン３は、インナースキン５の外側に間隔をあけて設けてある。アウタースキン３の上部には換気窓９が設けてあり、アウタースキン３とインナースキン５との間の空気を換気している。尚、インナースキン５は、建物１１の壁面を構成している。  
図１に示すように、支持材７は、アウタースキン３とインナースキン５との間に設けて、アウタースキン３及びインナースキン５を支持するものであり、柱部１３と、柱部１３から外側に突出する腕部１５を有している。  
柱部１３は、Ｈ型鋼であり、インナースキン５の外側に立設してある。  
図４（ｂ）に示すように、柱部１３の下端は建物１１の躯体（構造体）１１ａにブラケット２１を介してボルト・ナット２３で固定されている。図４（ａ）に示すように、柱部１３の上下方向中間部は建物１１のフロア毎にブラケット２１を介して、ボルト・ナット２３で躯体１１ａに固定されている。  
図１に示すように、腕部１５はＴ型鋼（図２（ｂ）参照）であり、内側端を柱部１３に溶接により固定してあり、外側端（先端）をアウタースキン３側に延出している。  
【００１１】
柱部１３とインナースキン５との取り付けについて説明する。図１（ｂ）に示すように、柱部１３にはその内側面に、左右方向の挿通孔が形成された連結材２５が溶接固定されており、インナースキン５の隣り合う縦枠１７、１７を連結したボルト２９を連結材２５の挿通孔に挿通して止めてある。  
次に、腕部１５の先端とアウタースキン３との取り付けについて説明する。図１（ａ）（ｂ）に示すように、腕部１５の先端はアウタースキン３の無目１９の下に配置してあり、腕部１５に溶接固定したボルト３１はブラケット３２を介してナット３３で固定してある。  
【００１２】
尚、図６（ａ）及び図２に示すように、アウタースキン３は、パネル３５の上下端部を無目１９で固定してあり、左右に隣り合うパネル３５、３５間は目地３６（図１（ｂ）参照）で埋めてあり、縦枠や方立は設けていない。  
インナースキン５は、図５に示すように、引戸サッシ３７及びＦＩＸサッシ３９が設けてあり、図３に示すように、ＦＩＸサッシ３９のパネル３５は上枠４１、下枠４３及び縦枠１７（図１（ｂ）参照）で保持されており、ＦＩＸサッシ３９の左右の縦枠１７、１７間には、図３（ｂ）に示すように、方立４５が設けてあり、方立４５に左右のパネル３５を押縁４７で固定してある。  
図３（ａ）に示すように、上枠４１及び下枠４３は、躯体１１ａに固定されている。  
【００１３】
第１実施の形態にかかるダブルスキンカーテンウォール１の作用効果について説明する。  
図１に示すように、第１実施の形態にかかるダブルスキンカーテンウォール１によれば、支持材７の柱部１３にインナースキン５を固定し、支持材７の腕部１５にアウタースキン３を取り付ける構成であるから、インナースキン５とアウタースキン３それぞれに支持材７を設ける場合に比べて、少ない部品点数でインナースキン５とアウタースキン３とを支持できる。  
【００１４】
図１及び図６に示すように、腕部１５にアウタースキン３の無目１９を取り付けてあり、無目１９は上下のパネル３５を支持しているから、アウタースキン３に方立がなく、無目１９の横ラインによるスッキリとした外観にすることができる。  
図１に示すように、支持材７のみで、インナースキン５とアウタースキン３夫々の自重及び夫々にかかる風圧力を負担しているので、ダブルスキンカーテンウォール１を簡易な構造にすることができる。  
【００１５】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図７〜図１４を参照して、第２実施の形態にかかるダブルスキンカーテンウォール１を説明する。  
図７に示すように、第２実施の形態では、支持材７について、柱部１３はアウタースキン３側に設けてあり、腕部１５は柱部１３から内側に突出している。  
図１１に示すように、柱部１３は建物１１の各フロアの躯体１１ａに固定した固定材４９に連結材２４を介してボルト・ナット５１で固定してある。  
図７〜図９に示すように、柱部１３には、外側連結材２５ａ、内側連結材２５ｂを介してアウタースキン３の無目１９が固定してある。図８に示すように、外側連結材２５ａは無目１９にボルト５２で固定してあり、内側連結材２５ｂは柱部１３にボルト５４で固定してある。外側連結材２５ａと内側連結材２５ｂは上下に重ねて垂直方向からボルト５６とナット５８で止めてある。  
尚、連結材２５ａ、２５ｂの上側に設けてあるのは、押しボルト５３である。また、無目１９には外側と内側を連通する通気路５５が形成されている。  
【００１６】
図７に示すように、腕部１５は、外側ブラケット５９ａと内側ブラケット５９ｂと、外側ブラケット５９ａと内側ブラケット５９ｂの間に設けた耐風圧負担部材６１で構成してあり、耐風圧負担部材６１は円柱状部材であり、外側端部には外側連結材６２ａがねじ込まれており、内側端部には内側連結材６２ｂがねじ込まれている。図９に示すように、外側連結材６２ａは、その左右を挟む外側ブラケット５９ａに左右側から止めるボルト６３で止めてあり、図１０に示すように、内側連結材６２ｂは、その左右を挟む内側ブラケット５９ｂに左右側から止めるボルト６３で止めてある。  
【００１７】
また、腕部１５の内側ブラケット５９ｂは、インナースキン５に設けた補助材６５にボルト６７で固定してある。  
補助材６５は内側ブラケット５９ｂが固定されるブラケット固定部６５ａと、インナースキン５の隣り合う縦枠２７ａ、２７ｂ間に配置した縦枠固定部６５ｂとを有し、ブラケット固定部６５ａと縦枠固定部６５ｂとで横断面が略Ｔ字形状を成している。縦枠固定部６５ｂは、ボルト６９で隣り合う縦枠２７ａ、２７ｂに固定されている。  
【００１８】
図１４に示すように、インナースキン５には、ＦＩＸサッシ３９（図１２参照）と、内開きサッシ４０（図１３参照）とが設けてある。図１２及び図１３に示すように、各サッシ３９、４０の枠７０は躯体１１ａに固定されている。  
【００１９】
図７及び図１５に示すように、第２実施の形態にかかるダブルスキンカーテンウォール１によれば、支持材７の柱部１３にアウタースキン３を固定し、支持材７の腕部１５にインナースキン５を取り付ける構成であるから、インナースキン５とアウタースキン３それぞれに支持材７を設ける場合に比べて、少ない部品点数でインナースキン５とアウタースキン３とを支持できる。  
【００２０】
腕部１５にアウタースキン３の無目１９を取り付けてあり、無目１９は上下のパネル３５を支持しているから、アウタースキン３に方立がなく、無目１９の横ラインによるスッキリとした外観にすることができる。  
図７に示すように、支持材７のみで、インナースキン５とアウタースキン３夫々の自重及び夫々にかかる風圧力を負担しているので、簡易な構造にすることができる。  
図７及び図８に示すように、柱部１３とアウタースキン３との固定は、アウタースキン３に固定した外側連結材２５ａと柱部１３に固定した内側連結材２５ｂとを上下に重ねて垂直方向からボルト５６と、ナット５８で止めてあるから、アウタースキン３にかかる左右方向の外力に対して柔軟に固定できる。  
同様に、図９及び図１０に示すように、柱部１３と腕部１５との連結は、腕部１５の外側連結材６２ａを外側ブラケット５９ａで左右方向から挟んで水平方向から止めるボルトで固定しており、腕部１５とインナースキン５との連結は、腕部１５の内側連結材６２ｂを内側ブラケット５９ｂで左右方向から挟んで水平方向から止めるボルトで固定しているので、柱部１３からインナースキン５に作用する上下方向の外力に対して柔軟に固定できる。  
【００２１】
本発明は、上述した実施の形態に限らず、本発明の要旨を逸脱しない範囲で種々変形可能である。  
例えば、第１及び第２実施の形態において、柱部１３の形状は、Ｈ型鋼や角柱状に限らず、筒状等であって良く、その形状は限定されない。同様に、腕部１５の形状もＴ型鋼や棒状にすることに限らず、Ｈ型鋼や筒状等であっても良く、その形状は限定されない。  
第１実施の形態においてアウタースキン３やインナースキン５に開閉窓を設けても良いし、第２実施の形態において、アウタースキン３やインナースキン５に引戸サッシを設けても良いし、各スキンに設ける窓種は限定されない。  
【符号の説明】
【００２２】
１    ダブルスキンカーテンウォール
３    アウタースキン
５    インナースキン
７    支持材
１１ａ  躯体（建物の構造体）
１３  柱部
１５  腕部
【図１】
2018178652.tif 000003
【図２】
2018178652.tif 000004
【図３】
2018178652.tif 000005
【図４】
2018178652.tif 000006
【図５】
2018178652.tif 000007
【図６】
2018178652.tif 000008
【図７】
2018178652.tif 000009
【図８】
2018178652.tif 000010
【図９】
2018178652.tif 000011
【図１０】
2018178652.tif 000012
【図１１】
2018178652.tif 000013
【図１２】
2018178652.tif 000014
【図１３】
2018178652.tif 000015
【図１４】
2018178652.tif 000016
【図１５】
2018178652.tif 000017
【図１６】
2018178652.tif 000018
【図１７】
2018178652.tif 000019